(57)【要約】  人を特定する要素である人体因子および使用者の優先順位決定方法に関する情報を少なくとも入力する入力部と、環境を特定する要素である環境因子を変更する可変装置と、入力部から入力された情報に基づいて使用者の優先順位を決定するとともに、可変装置を制御して環境因子の値を快適範囲内にする制御部と、を備え、現使用者が複数いる場合において、優先順位のうち現使用者の優先順位に応じて前記快適範囲を決定するものである。
2016001974.tif 000002
【特許請求の範囲】
【請求項１】
人を特定する要素である人体因子および使用者の優先順位決定方法に関する情報を少なくとも入力する入力部と、
環境を特定する要素である環境因子を変更する可変装置と、
前記入力部から入力された情報に基づいて使用者の優先順位を決定するとともに、前記可変装置を制御して環境因子の値を快適範囲内にする制御部と、を備え、
現使用者が複数いる場合において、前記優先順位のうち現使用者の優先順位に応じて前記快適範囲を決定する
空調システム。
【請求項２】
人体因子毎の環境因子に応じた快適範囲に関する情報が記憶される記憶部を備えた
請求項１に記載の空調システム。
【請求項３】
環境因子を検知する検知部を備え、
現使用者の優先順位に応じて決定した快適範囲内の値に環境因子の目標値を決定し、前記目標値および前記検知部で検知された値に応じて前記可変装置を制御し、環境因子の値を前記目標値にする
請求項１または２に記載の空調システム。
【請求項４】
使用者の人体因子のパラメータの登録画面、優先順位決定方法の設定画面、および前記目標値の表示画面を少なくとも表示する表示部を備えた
請求項３に記載の空調システム。
【請求項５】
現使用者が複数いる場合において、
最も優先順位の高い現使用者の人体因子のパラメータに該当した快適範囲を選択する
請求項１〜４のいずれか一項に記載の空調システム。
【請求項６】
現使用者が複数いる場合において、
現使用者の優先順位に応じて重み付けをし、その重み付けに応じて求められた比率に従って得られた快適範囲を選択する
請求項１〜４のいずれか一項に記載の空調システム。
【請求項７】
使用者によって予め設定された各使用者の生活パターンに基づいて現使用者を特定する
請求項１〜６のいずれか一項に記載の空調システム。
【請求項８】
現使用者を特定する人感検知部を備えた
請求項１〜７のいずれか一項に記載の空調システム。
【請求項９】
優先順位は人体因子毎に設定可能である
請求項１〜８のいずれか一項に記載の空調システム。
【請求項１０】
優先順位が複数の人体因子で設定された場合において、
そのうちの複数を組み合わせて現使用者の優先順位を決定する
請求項９に記載の空調システム。
【請求項１１】
人体因子同士の優先順位を設定し、
優先順位の高い人体因子に応じて使用者の優先順位を決定する
請求項１〜１０のいずれか一項に記載の空調システム。
【請求項１２】
優先順位は空調を行う居住空間毎に設定可能である
請求項１〜１１のいずれか一項に記載の空調システム。
【請求項１３】
優先順位は可変装置毎に設定可能である
請求項１〜１２のいずれか一項に記載の空調システム。
【請求項１４】
優先順位は運転モード毎に設定可能である
請求項１〜１３のいずれか一項に記載の空調システム。
【請求項１５】
優先順位は時間帯毎に設定可能である
請求項１〜１４のいずれか一項に記載の空調システム。
【発明の詳細な説明】
【技術分野】
【０００１】
本発明は、環境因子可変装置を制御して空調を行う空調システムに関するものである。
【背景技術】
【０００２】
従来の空調システムにおいて、使用者の快適感を決定する人体因子（年齢、身長、体重、性別、既述症、着衣量、作業量、疲労度等）の情報、使用者の生活パターンや時間に関する情報、建物に関する情報（冷暖房負荷、換気回数、形態係数、立地条件等）の少なくとも一つを入力することが可能な入力部と、使用者の快適感を決定する環境因子（温度、湿度、輻射温度、気流速度、光量、音量、浮遊粉塵量、ある特定のガス濃度）の少なくとも一つを検知する環境因子検知部と、前記入力部からの信号と前記環境因子検知部からの信号から目標値を演算し記憶するＩＣカードと、発熱体、吸熱体、送風機、除湿機または加湿機、光源、音源、除塵機およびある特定のガスの吸収機または発生機等の少なくとも一つを有した環境因子可変装置と、前記環境因子検知部から検知信号と前記ＩＣカードで記憶された目標値との差により前記環境因子可変装置の制御を行う制御部と、前記ＩＣカードの着脱を可能にしかつ前記入力部、前記環境因子検知部、前記制御部と前記ＩＣカードとの通信を媒介する媒介部とから構成されるものがある（たとえば、特許文献１参照）。【０００３】
特許文献１は、入力部からの信号および環境因子検知部からの信号に基づいてＩＣカードで目標値を演算するとともにその値を記憶し、環境因子検知部からの信号とＩＣカードに記憶した目標値との差に応じて制御部で環境因子可変装置の制御を行い、環境が快適となるように制御している。
【先行技術文献】
【特許文献】
【０００４】
【特許文献１】特公平８−１６５３８号公報
【発明の概要】
【発明が解決しようとする課題】
【０００５】
特許文献１は、１名の使用者の人体因子を考慮して目標値を快適範囲内の値に決定しているが、使用者の人体因子によって快適範囲は異なる。そのため、現使用者が複数居た場合において、その中にたとえば性別や年齢等、人体因子の異なる現使用者が居た場合は、目標値を適切な快適範囲内の値に決定することができず、快適性を損ねてしまうことがあった。【０００６】
本発明は、以上のような課題を解決するためになされたもので、快適性を損ねてしまうことを抑制できる空調システムを提供することを目的としている。
【課題を解決するための手段】
【０００７】
本発明に係る空調システムは、人を特定する要素である人体因子および使用者の優先順位決定方法に関する情報を少なくとも入力する入力部と、環境を特定する要素である環境因子を変更する可変装置と、前記入力部から入力された情報に基づいて使用者の優先順位を決定するとともに、前記可変装置を制御して環境因子の値を快適範囲内にする制御部と、を備え、現使用者が複数いる場合において、前記優先順位のうち現使用者の優先順位に応じて前記快適範囲を決定するものである。
【発明の効果】
【０００８】
本発明に係る空調システムによれば、人体因子の異なる現使用者が居た場合でも、現使用者の優先順位に応じて環境因子の快適範囲を決定し、可変装置を制御して環境因子の値を前記快適範囲内にすることで、快適性を損ねてしまうことを抑制できる。
【図面の簡単な説明】
【０００９】
【図１】本発明の実施の形態１に係る空調システムのブロック図である。
【図２】本発明の実施の形態１に係る空調システムの操作表示端末の表示部に表示される初期登録画面を示す図である。
【図３】本発明の実施の形態１に係る空調システムの操作表示端末の表示部に表示される優先順位決定方法の設定画面を示す図である。
【図４】本発明の実施の形態１に係る空調システムの操作表示端末の表示部に表示される優先順位の結果画面を示す図である。
【図５】本発明の実施の形態１に係る空調システムの操作表示端末の表示部に表示される暖房モード画面を示す図である。
【図６】本発明の実施の形態１に係る空調システムの床温度と空気温度と年齢における快適範囲との関係を示す図である。
【図７】本発明の実施の形態２に係る空調システムの床温度と空気温度と年齢における快適範囲との関係を示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下に登場する「使用者」とは、空調システムを使用する者とする。また、以下に登場する「現使用者」とは、使用者のうち空調システムをまさに使用しようとしている者、または使用している者とする。
【００１１】
実施の形態１．
図１は、本発明の実施の形態１に係る空調システムのブロック図である。
本実施の形態１に係る空調システムは、居住空間の空調を行うものであり、操作表示端末１と、環境因子検知部２と、情報収集ユニット３と、複数の環境因子可変装置４と、を備えている。なお、ここで言う空調とは、暖房、冷房、除湿、加湿、空気清浄等を含むものとする。
【００１２】
操作表示端末１は、表示部と入力部とを有する通信機器であり、使用者の快適感を決定する、人を特定するための要素である人体因子、すなわち年齢、身長、体重、性別、既往症、着衣量、作業量、疲労度等の情報、使用者の生活パターン、時間に関する情報、冷暖房負荷、換気回数、形態係数、および立地条件等の建築物に関する情報が入力される。操作表示端末１は、たとえばタブレット、リモコン、携帯電話、スマートフォン、パソコン、テレビ、カーナビ等である。
なお、操作表示端末１は本発明の「入力部」および「表示部」に相当する。
【００１３】
環境因子検知部２は、使用者の快適感を決定する、環境を特定するための要素である環境因子、すなわち温度、湿度、輻射温度、気流速度、光量、音量、艀遊粉塵量、およびある特定のガス濃度等のいずれか一つまたは複数を、単体または複数で検知するものである。環境因子検知部２は、環境因子可変装置４に内蔵されたセンサでもよい。
なお、環境因子検知部２は本発明の「検知部」に相当する。
【００１４】
情報収集ユニット３は、記憶部と制御部とを有するものであり、人体因子毎の環境因子に対応する快適範囲に関する情報が記憶部に記憶されている。ここで、快適範囲とは、使用者にとって快適な環境を保つことができるとして予め決められた環境因子の範囲である。本実施の形態１では、少なくとも年齢（年齢層）毎の空気温度および床温度に対応する快適範囲に関する情報が記憶部に記憶されている。
【００１５】
また、操作表示端末１からの情報に基づいて最適な快適範囲を選択し、その快適範囲内の値を目標値に決定する。また、その目標値と環境因子検知部２で検知された値との差に応じて、環境因子可変装置４の制御を行い、環境因子検知部２で検知した値が目標値になるようにする。
なお、情報収集ユニット３は本発明の「制御部」および「記憶部」に相当する。
【００１６】
環境因子可変装置４は、ルームエアコン、床暖房、輻射冷房パネル、除湿機、加湿器、空気清浄機等の環境因子を変更するものである。なお、本実施の形態１では、環境因子可変装置４として、床暖房４ａを少なくとも有するものとする。
なお、環境因子可変装置４は本発明の「可変装置」に相当する。
【００１７】
上記構成において、（現）使用者により、人体因子や運転モード等の各種情報が操作表示端末１により入力され、環境因子検知部２により空調対象空間における現在の環境因子が検知されると、情報収集ユニット３では操作表示端末１からの情報と環境因子検知部２からの情報に基づいて記憶部の快適範囲を参照し、現使用者の快適さを満足する環境因子の値が目標値に設定される。そして、その目標値と環境因子検知部２で検知された値との差に応じて環境因子可変装置４を制御し、環境を快適な状態に保つ。
【００１８】
図２は、本発明の実施の形態１に係る空調システムの操作表示端末１の表示部に表示される初期登録画面を示す図、図３は、本発明の実施の形態１に係る空調システムの操作表示端末１の表示部に表示される優先順位決定方法の設定画面を示す図、図４は、本発明の実施の形態１に係る空調システムの操作表示端末１の表示部に表示される優先順位の結果画面を示す図である。
【００１９】
次に、本実施の形態１に係る空調システムの自動運転モードを実行する際の操作表示端末１の操作方法について説明する。
本実施の形態１に係る空調システムは自動運転モードを備えており、この自動運転モードは、現使用者にとって快適な環境となるように自動で環境因子可変装置４を制御するモードである。なお、この自動運転モードは、初期設定で設定できるようにしてもよいし、空調システムを操作毎に設定できるようにしてもよい。
【００２０】
まず、自動運転モードが選択されると、操作表示端末１の表示部に図２に示す初期登録画面が表示されるので、使用者の快適感を決定する人体因子のパラメータを画面に従って入力し、人体因子のパラメータの登録を行う。本実施の形態１では、図２に示すように３名の使用者Ａ、Ｂ、Ｃの各年齢を登録するものとする。この登録された人体因子に関する情報は、情報収集ユニット３の記憶部に記憶される。
なお、初期登録前における使用者の人体因子のパラメータには、予め決められたデフォルト値を設定するとよい。また、図２に示す初期登録画面は、既に初期登録が行われている場合は非表示として、次の画面を表示してもよい。
【００２１】
次に、図３に示すように優先順位決定方法の設定画面が表示されるので、優先順位決定方法を設定する。本実施の形態１では、「年上を優先」を設定するものとする。なお、本実施の形態１では、図３に示すように優先順位決定方法を、「年上を優先」、「年下を優先」、「乳幼児と高齢者を優先」、「ユーザ入力」としているが、それに限定されず、その他を備えていてもよいし、少なくてもよい。
【００２２】
「年上を優先」が設定されると、登録された人体因子に関する情報（本実施の形態１では年齢）に基づいて使用者の優先順位が制御部により決定され、図４に示すように優先順位の結果画面が表示される。
なお、優先順位の設定前には、予め決められた優先順位を設定するとよい。また、優先順位の設定が行われている場合は、図３および図４に示す画面は空調システムを操作毎に表示させなくてもよいし、操作毎に表示させて毎回設定変更できるようにしてもよい。
【００２３】
本実施の形態１では、年齢に基づいて優先順位を決定したが、これに限定されず、性別、体型、家族構成、体質、作業量、着衣量等に基づいて優先順位を決定してもよい。
なお、優先順位決定方法として、性別に関しては、「女性優先」、「男性優先」が考えられる。また、体型に関しては、「体重が重い人を優先」、「体重が軽い人」、「身長が高い人」、「身長が低い人」等が考えられる。また、家族構成に関しては、「赤ちゃん優先」、「祖父母優先」等が考えられる。また、体質に関しては、「体の弱い人を優先」、「アレルギー体質の人を優先」等が考えられる。また、作業量に関しては、「家事等で体を動かしている人を優先」、「寝ている人を優先」等が考えられる。また、着衣量に関しては、「薄着の人を優先」、「厚着の人を優先」、「冷房中は薄着の人を優先」、「暖房中は厚着の人を優先」等が考えられる。
【００２４】
次に、操作表示端末１の表示部に表示される運転画面（図示省略）から、運転させる環境因子可変装置４を選択する。本実施の形態１では、床暖房４ａを選択するものとする。床暖房４ａが選択されると、図５に示すように暖房モード画面が表示され、制御部は、登録された人体因子に関する情報に基づいて、現使用者の快適さを満足する環境因子の値を決定し、その決定した値が目標値に設定される。
【００２５】
本実施の形態１では、環境因子が空気温度および床温度であり、現使用者の快適さを満足するため、図５に示すように、目標値として空気温度が２０℃、床温度が２８℃にそれぞれ設定される。
なお、床温度ではなく、床暖房４ａの水温が設定されてもよい。また、図５では運転する環境因子可変装置４の画、空気温度、および床温度を表示しているが、その他、環境因子検知部２により検知された情報等を表示してもよい。また、設定された目標値は現使用者によって変更できるようにしてもよい。また、運転させる環境因子可変装置４を選択して運転モードが選択されるようにしたが、運転モードを選択して運転する環境因子可変装置４が選択されるようにしてもよい。
【００２６】
図６は、本発明の実施の形態１に係る空調システムの床温度と空気温度と年齢における快適範囲との関係を示す図である。
次に、空気温度および床温度の目標値の決定方法について説明する。
本実施の形態１では、年齢に基づいた優先順位に応じて空気温度および床温度の目標値を決定するものとする。図６に示すように、空気温度および床温度における快適範囲は年齢によって異なっているため、現使用者の年齢に応じて空気温度および床温度の目標値を決定する必要がある。
【００２７】
現使用者が若年、または複数の現使用者のうち全員が若年であった場合は、若年の快適範囲内の値を目標値に決定し、現使用者が老年、または複数の現使用者のうち全員が老年であった場合は、老年の快適範囲内の値を目標値に決定する。
なお、本実施の形態１では、３０代は若年、７０代は老年とする。
【００２８】
また、複数の現使用者のうち若年と老年がどちらも居た場合は、優先順位に応じて優先順位が高い方の快適範囲内の値を目標値に決定する。なお、本実施の形態１では、現使用者はＡ、Ｂ、Ｃの３名であるものとする。
図４に示すようにＡ、Ｂ、Ｃの中で老年であるＣの優先順位が１番高いため、この場合は老年の快適範囲内の値を目標値に決定する。
【００２９】
ここで、現使用者の特定方法について、たとえば空調システムを操作毎に現使用者を入力させるようにしてもよいし、使用者によって予め設定された各使用者の生活パターン（タイムテーブル）に基づいて現使用者を特定してもよいし、単体の人感検知部（画像センサや赤外線センサ等）、または環境因子可変装置４に組み込まれた人感検知部によって現使用者を特定してもよい。
なお、現使用者の特定方法については上記に限定されない。
【００３０】
以上のように、本実施の形態１によれば、現使用者の人体因子のパラメータに該当した快適範囲が複数ある場合、つまり、複数の現使用者のうち若年と老年がどちらも居た場合は、優先順位に応じて快適範囲を決定し、目標値をその快適範囲内の値に決定することにより、使用者の意向に沿って快適な環境を得ることができる。そのため、快適性を損ねてしまうことを抑制できる。
【００３１】
なお、空調を行う居住空間が複数ある場合は、その居住空間毎に優先順位を設定してもよい。たとえば、空調を行う居住空間としてリビングとキッチンがあった場合、リビングは年齢における優先順位を設定し、キッチンは性別における優先順位を設定する。または、リビングとキッチンどちらも年齢における優先順位を設定するが、優先順位の種類をリビングは「年上を優先」に設定し、キッチンは「年下を優先」に設定する。
【００３２】
また、環境因子可変装置４を複数有する場合は、環境因子可変装置４毎に優先順位を設定してもよい。たとえば、ルームエアコンと加湿機を有する場合、ルームエアコンは年齢における優先順位を設定し、加湿機は性別における優先順位を設定する。または、ルームエアコンと加湿機どちらも年齢における優先順位を設定するが、優先順位の種類をルームエアコンは「年上を優先」に設定し、加湿機は「年下を優先」に設定する。
【００３３】
また、運転モードを複数有する場合は、運転モード毎に優先順位を設定してもよい。たとえば、「暖房」モードと「冷房」モードを有する場合、「暖房」モードは年齢における優先順位を設定し、「冷房」モードは性別における優先順位を設定する。または、「暖房」モードと「冷房」モードどちらも年齢における優先順位を設定するが、優先順位の種類を「暖房」モードは「年上を優先」に設定し、「冷房」モードは「年下を優先」に設定する。
【００３４】
また、時間帯毎に優先順位を設定してもよい。たとえば、時間帯を午前と午後に分けた場合、午前は年齢における優先順位を設定し、「冷房」モードは性別における優先順位を設定する。または、「暖房」モードと「冷房」モードどちらも年齢における優先順位を設定するが、優先順位の種類を「暖房」モードは「年上を優先」に設定し、「冷房」モードは「年下を優先」に設定する。
【００３５】
また、優先順位が複数の人体因子で設定されている場合は、人体因子同士にも優先順位を設定して、どの人体因子に基づいて現使用者の優先順位を決定するかを決めてもよいし、空調システムを操作毎にどの項目に基づいて現使用者の優先順位を決定するかを選択できるようにしてもよい。
【００３６】
また、優先順位が複数の人体因子で設定された場合、それらの複数を組み合わせてもよい。たとえば、年齢と性別の優先順位をそれぞれ設定し、年齢の優先順位決定方法を「年上を優先」に設定し、性別の優先順位決定方法を「女性」に設定した場合、「年上かつ女性」の優先順位が１番高くなる。なお、優先順位の項目（人体因子）同士にも優先順位が設定されている場合、たとえば、年齢よりも性別の優先順位が高く設定されている場合、「年下かつ女性」と「年上かつ男性」とでは、「年下かつ女性」の方が、優先順位が高くなる。
【００３７】
実施の形態２．
以下、本実施の形態２について説明するが、実施の形態１と重複するものについては省略し、実施の形態１と同じ部分または相当する部分には同じ符号を付す。
図７は、本発明の実施の形態２に係る空調システムの床温度と空気温度と年齢における快適範囲との関係を示す図である。
なお、図４については本実施の形態２においてもそのまま用いる。
【００３８】
本実施の形態２では、年齢に基づいた優先順位に応じて空気温度および床温度の目標値を決定するものとする。図７に示すように、空気温度および床温度における快適範囲は年齢によって異なっているため、現使用者の年齢に応じて空気温度および床温度の目標値を決定する必要がある。
【００３９】
本実施の形態２では、年齢に基づいた優先順位に応じて空気温度および床温度の目標値を決定するが、複数の現使用者のうち若年と老年がどちらも居た場合は、優先順位に応じて重み付けをし、その重み付けに応じて求められた比率に従って得られた快適範囲内の値を目標値に決定するものとする。
なお、本実施の形態２では、３０代は若年、７０代は老年とする。
【００４０】
現使用者が若年、または複数の現使用者のうち全員が若年であった場合は、若年の快適範囲内の値を目標値に決定し、現使用者が老年、または複数の現使用者のうち全員が老年であった場合は、老年の快適範囲内の値を目標値に決定する。
【００４１】
また、複数の現使用者のうち若年と老年がどちらも居た場合は、優先順位に応じて重み付けをし、その重み付けに応じて求められた比率に従って得られた快適範囲内の値を目標値に決定する。なお、本実施の形態２では、現使用者はＡ、Ｂ、Ｃの３人であるものとする。
【００４２】
図４に示すようにＡ、Ｂ、Ｃの中で１番優先順位が高いのは（１番目は）Ｃであるため、Ｃの重み付けをたとえば５とする。そして、その次に優先順位が高いのは（２番目は）Ａであるため、Ａの重み付けをたとえば３とする。そして、その次に優先順位が高いのは（３番目は）Ｂであるため、Ｂの重み付けをたとえば２とする。
【００４３】
そして、若年はＡとＢであるため、若年の重み付けの和はＡの３とＢの２を足して５となる。一方、老年はＣのみであるため、老年の重み付けの和はＣの５となる。
次に、重み付けに応じて比率を求めるが、若年の重み付けの和は５であり、老年の重み付けの和も５であるため、若年と老年の比率は５：５＝１：１となる。
そのため、図７に示すように、若年の快適範囲からの距離と老年の快適範囲からの距離が１：１となる位置であるＸを求め、そのＸの快適範囲内の値を目標値に決定する。
【００４４】
以上のように、本実施の形態２によれば、現使用者の人体因子のパラメータに該当した快適範囲が複数ある場合、つまり、複数の現使用者のうち若年と老年がどちらも居た場合は、優先順位に応じて重み付けをし、その重み付けに応じて求められた比率に従って得られた快適範囲内の値を目標値に決定する。そうすることにより、現使用者にとってできるだけ快適な環境を得ることができる。そのため、快適性を損ねてしまうことを抑制できる。
【００４５】
なお、重み付けの値は上記に限定されず、使用者が自由に設定することができるようにしてもよいし、予め決められたデフォルト値を設定してもよい。
また、比率の求め方も上記に限定されず、使用者が自由に設定することができるようにしてもよい。
【符号の説明】
【００４６】
１  操作表示端末、２  環境因子検知部、３  情報収集ユニット、４  環境因子可変装置、４ａ  床暖房。
【図１】
2016001974.tif 000003
【図２】
2016001974.tif 000004
【図３】
2016001974.tif 000005
【図４】
2016001974.tif 000006
【図５】
2016001974.tif 000007
【図６】
2016001974.tif 000008
【図７】
2016001974.tif 000009
【手続補正書】
【提出日】平成28年8月4日(2016.8.4)
【手続補正１】
【補正対象書類名】明細書
【補正対象項目名】０００７
【補正方法】変更
【補正の内容】
【０００７】
本発明に係る空調システムは、使用者の人を特定する要素である人体因子のパラメータの登録画面、および優先順位決定方法の設定画面を表示する表示部と、前記表示部に表示される前記登録画面に従って人体因子に関する情報、および前記設定画面に従って使用者の優先順位決定方法に関する情報を、それぞれ入力する入力部と、環境を特定する要素である環境因子を変更する可変装置と、前記入力部から入力された情報に基づいて使用者の優先順位を決定するとともに、前記可変装置を制御して環境因子の値を予め決められた環境因子の範囲内にする制御部と、環境因子を検知する検知部と、を備え、現使用者が複数いる場合において、前記優先順位のうち現使用者の優先順位に応じて前記予め決められた環境因子の範囲を決定し、現使用者の優先順位に応じて決定した快適範囲内の値に環境因子の目標値を決定し、前記目標値および前記検知部で検知された値に応じて前記可変装置を制御し、環境因子の値を前記目標値にし、優先順位は空調を行う居住空間毎に設定可能である。
【手続補正２】
【補正対象書類名】特許請求の範囲
【補正対象項目名】全文
【補正方法】変更
【補正の内容】
【特許請求の範囲】
【請求項１】
使用者の人を特定する要素である人体因子のパラメータの登録画面、および優先順位決定方法の設定画面を表示する表示部と、
前記表示部に表示される前記登録画面に従って人体因子に関する情報、および前記設定画面に従って使用者の優先順位決定方法に関する情報を、それぞれ入力する入力部と、
環境を特定する要素である環境因子を変更する可変装置と、
前記入力部から入力された情報に基づいて使用者の優先順位を決定するとともに、前記可変装置を制御して環境因子の値を予め決められた環境因子の範囲内にする制御部と、
環境因子を検知する検知部と、
を備え、
現使用者が複数いる場合において、前記優先順位のうち現使用者の優先順位に応じて前記予め決められた環境因子の範囲を決定し、
現使用者の優先順位に応じて決定した快適範囲内の値に環境因子の目標値を決定し、前記目標値および前記検知部で検知された値に応じて前記可変装置を制御し、環境因子の値を前記目標値にし、
優先順位は空調を行う居住空間毎に設定可能である
空調システム。
【請求項２】
優先順位はリビングと、該リビング以外の居住空間とでそれぞれ設定可能である
請求項１に記載の空調システム。
【請求項３】
前記表示部は、
前記優先順位の結果画面および前記目標値の表示画面のうち少なくとも一方を表示する
請求項１または２に記載の空調システム。
【請求項４】
人体因子毎の環境因子に応じた快適範囲に関する情報が記憶される記憶部を備えた
請求項１〜３のいずれか一項に記載の空調システム。
【請求項５】
現使用者が複数いる場合において、
最も優先順位の高い現使用者の人体因子のパラメータに該当した快適範囲を選択する
請求項１〜４のいずれか一項に記載の空調システム。
【請求項６】
現使用者が複数いる場合において、
現使用者の優先順位に応じて重み付けをし、その重み付けに応じて求められた比率に従って得られた快適範囲を選択する
請求項１〜４のいずれか一項に記載の空調システム。
【請求項７】
使用者によって予め設定された各使用者の生活パターンに基づいて現使用者を特定する
請求項１〜６のいずれか一項に記載の空調システム。
【請求項８】
現使用者を特定する人感検知部を備えた
請求項１〜７のいずれか一項に記載の空調システム。
【請求項９】
優先順位は人体因子毎に設定可能である
請求項１〜８のいずれか一項に記載の空調システム。
【請求項１０】
優先順位が複数の人体因子で設定された場合において、
そのうちの複数を組み合わせて現使用者の優先順位を決定する
請求項９に記載の空調システム。
【請求項１１】
人体因子同士の優先順位を設定し、
優先順位の高い人体因子に応じて使用者の優先順位を決定する
請求項１〜１０のいずれか一項に記載の空調システム。
【請求項１２】
優先順位は可変装置毎に設定可能である
請求項１〜１１のいずれか一項に記載の空調システム。
【請求項１３】
優先順位は運転モード毎に設定可能である
請求項１〜１２のいずれか一項に記載の空調システム。
【請求項１４】
優先順位は時間帯毎に設定可能である
請求項１〜１３のいずれか一項に記載の空調システム。
【国際調査報告】
2016001974.tif 000010
2016001974.tif 000011
2016001974.tif 000012
2016001974.tif 000013